(57)【要約】【課題】鳥の大きさ（胴回り寸法）を簡単かつ正確に知ることができ、初心者であっても容易に使用することのできる鳥用のメジャーを提供する。【解決手段】本考案の鳥用のメジャーＡは、鳥の腹部から背中にかけて前記鳥の外周に巻かれる平板部１と、平板部１に設けた前記鳥の脚を通す貫通部２と、平板部１の端部に設けて平板部１を前記鳥に保持する固定部３とを有するものである。【選択図】図１
0003211760.tif 000002
【実用新案登録請求の範囲】
【請求項１】
鳥の腹部から背中にかけて前記鳥の外周に巻かれる平板部と、この平板部に設けた前記鳥の脚を通す貫通部と、前記平板部の端部に設けて前記平板部を前記鳥に保持する固定部とを有することを特徴とする鳥用のメジャー。
【請求項２】
前記平板部には、周囲から視認することのできる寸法線を有する事を特徴とする請求項１に記載の鳥用のメジャー。
【考案の詳細な説明】
【技術分野】
【０００１】
本考案は、鳥の大きさ（特に、胴回り寸法）を測るメジャーに関する。
【背景技術】
【０００２】
雀、十姉妹、インコなどの小型鳥類と、鷹、鷲、鳶などの大型鳥類（ちなみに、このような区分によると、ダチョウ、エミューなどは超大型鳥類になる）との間に位置する鶏、烏骨鶏、ブロイラー、鴨、アヒルなどの中型鳥類（以下、単に鳥と言う。）を人間（飼い主）と共に屋内（室内）で放し飼いするケースがある。
【０００３】
このようなケースでは、鳥が自由に歩き回ることから、排泄物の管理や処理が問題となるが、このような問題を解決するものとして、本出願人は、鳥用のおむつを提案している（特許文献１参照）。
【先行技術文献】
【特許文献】
【０００４】
【特許文献１】特開２０１５−１１２０９３号
【考案の概要】
【考案が解決しようとする課題】
【０００５】
前記鳥用のおむつは、鳥にとって安全かつ違和感（ストレス）の少ない、鳥の個体それぞれにとって好ましいサイズの選択が必要であることから、鳥の胴（腹）回り寸法や鳥の首元から尻へ至る体長など鳥の大きさを測定し、その結果（数値）からおむつのサイズを決定するのであるが、市販の物差しや巻尺などの測定用具で鳥の大きさを測定する場合、測定者ごとの測定方法の違いや測定箇所の選択などによる測定条件の違いにより差異が生じる。
【０００６】
ところで、鳥とおむつの間に余裕が有り過ぎるとおむつが安定しないし、逆に密着し過ぎると鳥にストレスを与える恐れがあるので、鳥用のおむつを選択する際に必要な鳥の大きさとしては、胴回り寸法が体長よりも重要である。
【０００７】
しかしながら、前者は鳥を抑えて測定する必要があるため、測定用具を鳥に添わせて測定できる後者の測定よりも難しい。
【０００８】
特に、初めて鳥を飼う場合、鳥の扱いに不慣れな事が多く前記測定に手間取り、あるいは、鳥にストレスや損傷を与える危険性がある。
【課題を解決するための手段】
【０００９】
本考案の鳥用のメジャーは、鳥の大きさを測定するために鳥の腹部から背中にかけて鳥の外周に巻かれる平板部と、この平板部に設けた鳥の脚を通す貫通部と、平板部の端部に設けてメジャーを保持する固定部とを有する事により前記問題を解決している。
【考案の効果】
【００１０】
本考案の鳥用のメジャーは、鳥の胴回り寸法を簡単かつ正確に知ることができ、初心者であっても容易に使用できる。
【図面の簡単な説明】
【００１１】
【図１】図１は本考案の一実施例の平面図である。
【図２】図２は同上実施例の使用状態を側面から示す説明図である。
【図３】図３は同上実施例の使用状態を上方から示す説明図である。
【図４】図４は同上実施例の使用状態を下方から示す説明図である。
【図５】図５は本考案の他の実施例の平面図である。
【考案を実施するための形態】
【００１２】
本考案の鳥用のメジャーは、鳥の腹部から背中にかけて鳥の外周に巻かれる平板部と、この平板部に設けた鳥の脚を通す貫通部と、平板部の端部に設けてメジャーを保持する固定部とを有するものである。
【００１３】
特に、平板部には、周囲から視認することのできる寸法線を有するものである。
【実施例】
【００１４】
図１〜図４は、本考案の一実施例に係るものであり、Ａは本考案に係る鳥用のメジャー（以下、単に「メジャー」と言う。）、Ｂは鳥である。
【００１５】
メジャーＡは、鳥Ｂの胴回り寸法を測定するために鳥Ｂの腹部から背中にかけて鳥Ｂの外周に巻かれる略帯状の平板部１からなり、鳥Ｂに極度の拘束状態を生じないような天然繊維、ビニール、ゴム、紐、紙、金属などを使用できる（本実施例では、不織布を用いている）。
【００１６】
この平板部１には、所望の色や匂いなどを鳥Ｂや飼い主（測定者）が好むのであれば、適宜添加しても良い。
【００１７】
また、この平板部１には、鳥Ｂの脚を通す貫通部２が設けてあり、この貫通部２に鳥Ｂの脚を通したのち、鳥Ｂの腹部から背中にかけて平板部１を鳥Ｂの外周に巻く構成で、貫通部２は、スリット、切り欠き、穴などとして形成する（本実施例では、２個のスリットを用いている）。
【００１８】
そして、平板部１の両端には、メジャーＡを鳥Ｂにセットした後にしばらく保持するための固定部３が設けてあり、この固定部３としては、面ファスナー、スナップ、ホック、ボタンとボタンホールなどが利用できる（本実施例では、面ファスナーを用いている）。
【００１９】
このメジャーＡは、平板部１の大きさ（鳥Ｂの胴回り寸法）別に複数個（例えば、衣類などと同様にＳサイズ、Ｍサイズ、Ｌサイズに区分けした３種類）を用意しておき、順次鳥Ｂへ装着することで鳥Ｂの大きさを知ることができ、これにより好適なおむつのサイズを選ぶことができる。
【００２０】
あるいは、図５に示す本考案の他の実施例の如く、平板部１に周囲から測定者が視認することのできる寸法線４を有することにより、１個のメジャーＡであっても鳥Ｂの大きさを知ることができる。
【００２１】
すなわち、平板部１の外側に補助目盛（例えば、１センチ単位）を付記した直交する２本の直線からなる寸法線は、一方（画面水平方向のもの）が鳥Ｂの胴回り寸法用として、他方（画面垂直方向のもの）が鳥Ｂの首元から尻へ至る体長の寸法用として、それぞれ形成されている。
【００２２】
そして、メジャーＡを鳥Ｂにセットした状態で、寸法線４の測定者が、この寸法線４を確認する事により、鳥Ｂの大きさを知ることができる。
【００２３】
このように、本考案のメジャーＡは、鳥Ｂにセットするだけで鳥Ｂの大きさを知ることができ、初心者でも容易に好適なサイズの鳥用のおむつを選択するのに役立つものである。
【００２４】
また、鳥用のおむつを使用した経験のない鳥Ｂに、このメジャーＡをセットしたまま暫く（例えば、数日間）放置することにより、その後にメジャーＡを外しておむつを付けた場合、おむつの装着が鳥Ｂにとって違和感を与えにくいと考えられることから、おむつのサイズ選定のためでなくおむつの使用の準備段階における所謂トレーニング用具としての機能をも具備し、更に、メジャーＡの脱着作業により飼い主にとってもおむつの着脱手順の練習を積むことができることから、双方にとって短時間でおむつの使用に慣れるという、鳥Ｂの大きさを知る本来の効果だけでない他の効果も期待できる。
【産業上の利用可能性】
【００２５】
ペットとして鳥Ｂを飼う飼い主は、室内で放鳥した時に鳥Ｂが排泄する糞尿の処理に悩まされるところ、鳥用のおむつを使用する事ができれば環境改善に役立つのであるが、その場合であっても鳥Ｂに合うサイズのおむつの選択が重要であり、本考案の鳥用のメジャーを用いることにより初心者であってもこの選択を簡単に行うことができる。
【符号の説明】
【００２６】
Ａ    鳥用のメジャー
１    平板部
２    貫通部
３    固定部
４    寸法線
Ｂ    鳥
【図１】
0003211760.tif 000003
【図２】
0003211760.tif 000004
【図３】
0003211760.tif 000005
【図４】
0003211760.tif 000006
【図５】
0003211760.tif 000007